(57)【要約】【課題】構成が簡単で部品点数も少なく、低コストで、簡単に投射位置が決定できるプロジェクタを提供する。【解決手段】表面に前記スクリーンに表示される画角に対応する複数の数値が間隔をおいて表示され、前記筺体の引出し口から出入り自在に引き出されたテープを備えた巻尺を前記筺体内に取り付け、該テープの先端に取り付けられた係止具を前記筺体の前部に係止させ、前記巻尺のロックボタンを前記筺体の外側に配置し、前記テープの係止具を前記スクリーンの係止部に係止し、前記テープの数値の位置に前記筺体の前縁を位置させることにより投射位置を決定するようにした。【選択図】図３
2006146004.tif 000002
【特許請求の範囲】
【請求項１】
筺体の前部に投射レンズを備え、該投射レンズからの出力画像をスクリーンに表示す
るプロジェクタにおいて、
表面に前記スクリーンに表示される画角に対応する複数の数値が間隔をおいて表示され
、前記筺体の引出し口から出入り自在に引き出されたテープを備えた巻尺を前記筺体内に
取り付け、該テープの先端に取り付けられた係止具を前記筺体の前部に係止させ、前記巻
尺のロックボタンを前記筺体の外側に配置し、前記テープの係止具を前記スクリーンの係
止部に係止し、前記テープの数値の位置に前記筺体の前縁を位置させることにより投射位
置を決定するようにしたことを特徴とするプロジェクタ。
【請求項２】
筺体の前部に投射レンズを備え、該投射レンズからの出力画像をスクリーンに表示する
プロジェクタにおいて、
表面に前記スクリーンに表示される画角に対応する複数の数値が間隔をおいて表示され
たテープが巻き取られて筺体に収容され、該筺体から出入り自在にら引き出され、該テー
プの先端に前記スクリーンを、前記数値の位置に前記筺体をそれぞれ位置させることによ
り投射位置を決定するようにしたことを特徴とするプロジェクタ。
【請求項３】
前記テープの先端に係止具が取り付けられ、該係止具を前記筺体の前面に係止したこ
とを特徴とする請求項２記載のプロジェクタ。
【請求項４】
前記テープの表面には、前記画角の数値とともに、前記筺体からスクリーンまでの距離
を表示したことを特徴とする請求項２または３記載のプロジェクタ。
【請求項５】
前記テープは、巻尺に設けられたテープ状メジャーであり、該巻尺のロックボタンを前
記筺体の外側に配置したことを特徴とする請求項２ないし４のいずれかに記載のプロジェ
クタ。
【請求項６】
前記投射レンズは、固定筒の前部で回転するズームレンズであり、該ズームレンズの鏡
筒には倍率を表す数値および目盛が、固定筒には倍率を指示する指示ラインがそれぞれ設
けられたことを特徴とする請求項２記載のプロジェクタ。
【請求項７】
前記係止具は、前記にスクリーンに形成されている係止部に係止されるようになってい
ることを特徴とする請求項３記載のプロジェクタ。
【発明の詳細な説明】
【技術分野】
【０００１】
本発明は、投射レンズから投射される出力画像をスクリーンに投射するプロジェクタに
関する。
【背景技術】
【０００２】
この種のプロジェクタにおいて、測距用画像パターン光をフォーカスレンズおよびズー
ムレンズを通してスクリーンに投射し、スクリーンで反射された光をラインセンサで受光
し、ラインセンサ上の反射光の位置によりスクリーンまでの距離を求めるようにした技術
が開示されている（例えば、特許文献１参照）。
【０００３】
また、発光素子、レンズ、プリズム等の発光系と、受光素子、レンズ、プリズム等の受
光系からなる光学的測距手段を備えたプロジェクタもある（例えば、特許文献２参照）。
【０００４】
また、光学機構系のフォーカス調整位置によりスクリーンまでの距離を調整するもの、
あるいは超音波を用いてスクリーンまでの距離を自動計測するものもある（例えば、特許
文献３参照）。
【０００５】
さらにまた、スクリーンからの光の到達時間を演算することにより、プロジェクタ対ス
クリーンの位置を計算する技術もある（例えば、特許文献４参照）。
【特許文献１】特開平９−１９７２４９号公報
【特許文献２】特開平１１−２６４９６３号公報
【特許文献３】特開平１１−９５３２４号公報
【特許文献４】特開平６−１８９２３８号公報
【発明の開示】
【発明が解決しようとする課題】
【０００６】
上記のように、プロジェクタに測距手段を設ける技術は、種々提案されているが、従来
の技術は、光学的あるいは音響的な測距であるため、発光素子、受光素子、レンズ、プリ
ズムあるいは超音波発振器等の光学系、音響系、あるいは計算のための演算回路等、多く
の構成部品が必要となり、コストが高く、かつ操作も複雑であるという問題がある。この
ような、光学的あるいは音響的測距手段は、大掛かりな業務用のプロジェクタには適用で
きても、家庭用の小型のプロジェクタには不向きである。
【０００７】
したがって、本発明の目的は、構成が簡単で部品点数も少なく、低コストで、簡単に投
射位置が決定できるプロジェクタを提供することにある。
【課題を解決するための手段】
【０００８】
第１発明に係るプロジェクタは、筺体の前部に投射レンズを備え、該投射レンズからの
出力画像をスクリーンに表示するプロジェクタにおいて、表面に前記スクリーンに表示さ
れる画角に対応する複数の数値が間隔をおいて表示され、前記筺体の引出し口から出入り
自在に引き出されたテープを備えた巻尺を前記筺体内に取り付け、該テープの先端に取り
付けられた係止具を前記筺体の前部に係止させ、前記巻尺のロックボタンを前記筺体の外
側に配置し、前記テープの係止具を前記スクリーンの係止部に係止し、前記テープの数値
の位置に前記筺体の前縁を位置させることにより投射位置を決定するようにしたことを特
徴とする。
【０００９】
このプロジェクタによれば、テープの先端の係止具をスクリーンに係止させ、テープの
画角に対応する数値の位置にプロジェクタの筺体の前縁を位置させることにより、自動的
に投射位置が決定され、複雑な光学的測距手段を用いることなく、巻尺だけの簡単な構成
で実施できる。また、巻尺からテープを引き出した状態でテープをロックボタンを押して
、引き出されたテープを固定し、使用終了後は、ロックボタンを解除してばね力でテープ
が筐体内に巻き戻されるので、操作が容易となる。
【００１０】
第２発明に係るプロジェクタは、筺体の前部に投射レンズを備え、該投射レンズから
の出力画像をスクリーンに表示するプロジェクタにおいて、表面に前記スクリーンに表示
される画角に対応する複数の数値が間隔をおいて表示されたテープが巻き取られて筺体に
収容され、該筺体から出入り自在にら引き出され、該テープの先端に前記スクリーンを、
前記数値の位置に前記筺体をそれぞれ位置させることにより投射位置を決定するようにし
たことを特徴とする。
【００１１】
このプロジェクタによれば、テープの先端をスクリーンに、テープの画角に対応する
数値の位置にプロジェクをそれぞれ位置させることにより、自動的に投射位置が決定され
、複雑な光学的測距手段を用いることなく、テープだけの簡単な構成で、低コストで実施
できる。
【００１２】
第３発明に係るプロジェクタは、前記テープの先端に係止具が取り付けられ、該係止
具を前記筺体の前面に係止したことを特徴とする。
【００１３】
このプロジェクタによれば、テープの先端に係止具が取り付けられているので、フレ
ーム使用時はテープを筺体へ係止させておき、使用時はスクリーンに係止させることがで
きるとともに、引き出し時の取っ手に機能も持たせることができる。
【００１４】
第４発明に係るプロジェクタは、前記テープの表面には、前記画角の数値とともに、
前記筺体からスクリーンまでの距離を表示したことを特徴とする。
【００１５】
このプロジェクタによれば、スクリーンに表示しよとする画角に対応した距離がわか
るので、表示しよとする画角に対応した距離がわかるので、おおよその位置にプロジェク
タを設置しておき、微調整で筺体と数値を合わせるようにすることができ、調整操作が短
時間で行える。
【００１６】
第５発明に係るプロジェクタは、前記テープは、巻尺に設けられたテープ状メジャー
であり、該巻尺のロックボタンを前記筺体の外側に配置したことを特徴とする。
【００１７】
このプロジェクタによれば、テープは既存の巻尺を利用できるので、製造が容易で、
より低コストで製造することができる。
【００１８】
第６発明に係るプロジェクタは、前記投射レンズは、固定筒の前部で回転するズーム
レンズであり、該ズームレンズの鏡筒には倍率を表す数値および目盛が、固定筒には倍率
を指示する指示ラインがそれぞれ設けられたことを特徴とする。
【００１９】
このプロジェクタによれば、ズームの倍率を掛けるだけで、スクリーンでの実際の表
示画角が即座に判明する。
【００２０】
第７発明に係るプロジェクタは、前記係止具は、前記にスクリーンに形成されている
係止部に係止されるようになっていることを特徴とする。
【００２１】
このプロジェクタによれば、スクリーンの係止部に係止具を係止させてプロジェクタ
を後退させることにより、簡単に投射位置を決めることができる。
【発明の効果】
【００２２】
本発明によれば、構成が簡単で部品点数も少なく、低コストで、簡単にプロジェクタの
投射位置を決定することができる。
【発明を実施するための最良の形態】
【００２３】
以下、本発明のプロジェクタの実施形態を図面を参照して説明する。
【００２４】
図１は、本発明のプロジェクタの一部切欠き側面図、図２は、要部の斜視図、図３は
、巻尺６の作動状態における要部の斜視図、図４(ａ)は、使用状態の側面図、（ｂ）は平
面図である。
【００２５】
図１〜図３に示すように、プロジェクタＡは、筺体１と、筺体１内設けられた光学系
（図示せず）からの光を投射する投射レンズ２とを備えている。
【００２６】
筺体１内の底部には、ケース３と、このケース３内にばね（図示せず）により巻き込
まれたメジャーテープ４と、ロックボタン５とからなる巻尺６が設けられている。巻尺６
の筺体１の前面には引出口７が形成され、メジャーテープ４の先端はこの引出口７から引
き出されている。メジャーテープ４の先端には係止具８が固着されており、この係止具８
は筺体１の前面に係止されている。ロックボタン５は筺体１の側部に出ており、このロッ
クボタン５を押すことにより、引き出されたメジャーテープ４が固定される。
【００２７】
図３および図４に示すように、メジャーテープ４にはスクリーン９に映し出される画
面の大きさ、すなわち、画角に対応した数値が任意の複数種類、図示の例では、１０イン
チ、２０インチ、３０インチの３種類の数値および目盛１１が間隔をおいて表示されてい
る。スクリーン９は、固定台９ａ上に設けられており、固定台９ａには、係止具８を引っ
掛ける凹部からなる係止部１８が設けられている。
【００２８】
図４は、プロジェクタの使用の際の測距状態を示している。
【００２９】
表示しようとするスクリーン９の係止部１８にメジャーテープ４の係止具８を引っ掛
け、スクリーン９で映し出そうとする画角の数値１０の位置にプロジェクタの筺体１の前
縁１ａが合致した位置、図示の例では３０インチに合致した位置が、スクリーン９に映し
出される３０インチの画角に対応する位置となる。したがって、スクリーン９に表示しよ
うとする画角の数値に筺体を合わせるだけの作業で簡単にプロジェクタＡの投射位置（設
置位置）が決定できる。
【００３０】
なお、筺体１の前縁１ａと目盛１１や数値１０が重なり合って見にくくなるおそれが
あるときは、図４（ｂ）のように目盛１１の若干手前（筺体１寄り）に例えば矢印１２を
表示しておき、筺体１の前縁１ａと矢印１２が合致したときが、その前部にある数値１０
に対応した位置とすることができる。
【００３１】
画角とスクリーンまでの距離との関係は機種により異なるので、あらかじめこの関係
を計測しておき、それに対応した数値１０および目盛１１が表示されたメジャーテープ４
を使用することにより、全ての機種に対応させることができる。
【００３２】
上記の説明は、ズームを使用しない場合（倍率が１）の例である。ズームを使用する
場合は、図２に示すように、投射レンズ２の鏡筒１３に倍率の数値１４および目盛１５を
表示し、後部の固定筒１６の外周に指示ライン１７を設けておき、鏡筒１３の目盛１５が
指示ライン１７に合致した数値をメジャーテープの数値に掛けた数値の画角がスクリーン
に表示されることになる。すなわち、図４の例では、メジャーテープが３０インチを示し
ており、図２ではズームレンズが１．３５を指しているので、３０×１．３５＝４０．５
がスクリーンに表示される画角となる。
【００３３】
図５は、メジャーテープの変形例であって、画角の数値１０の位置に、プロジェクタ
Ａとスクリーン９間の距離を示す数値、図示の例では、４ｍ、３ｍ、2ｍを併せて表示す
るようにしたものである。この構成にすると、スクリーン９に表示しよとする画角に対応
した距離がわかるので、おおよその位置にプロジェクタＡを設置しておき、微調整で筺体
１と数値１０を合わせるようにすることができる。また、スクリーン９に表示しようとす
る画角に対応した距離がわかるので、ユーザの部屋に合わせて、プロジェクタＡの設置位
置による調整と、ズームによる調整とを容易に組み合わせることができる。
【００３４】
以上のように、この実施形態によれば、テープ４の先端の係止具８をスクリーン９の係
止部１２に係止させ、テープ４の画角に対応する数値１０の位置にプロジェクタＡの筺体
１の前縁１ａを位置させることにより、自動的に投射位置が決定され、複雑な光学的測距
手段を用いることなく、巻尺だけの簡単な構成で実施できる。また、使用終了後は、ロッ
クボタン５を解除すると、ばねの力でテープ４が筺体内に巻き戻される。
【００３５】
なお、上記では、スクリーン９の固定台９ａにテープ４の係止具８を引っ掛けて用いた
が、スクリーン９が壁掛けタイプである場合には、係止具８を固定する係止部分をスクリ
ーン９に設ければ良い。
【００３６】
上記実施形態では、巻尺６を使用した例を示したが、これに限定されず、例えば、布
製、金属製等の可撓性テープに数値１０および目盛１１を形成し、このテープを筺体１内
に取り付けられたリール等の巻取り手段に巻きつけたものでもよい。この場合の巻取り操
作は、ばねによる自動巻取り、あるいはハンドルによる手動巻取りでもよい。
【図面の簡単な説明】
【００３７】
【図１】本発明のプロジェクタの一部切欠き側面図。
【図２】プロジェクタの要部の斜視図。
【図３】巻尺６の作動状態におけるプロジェクタの要部の斜視図。
【図４】(ａ)は、プロジェクタの使用状態の側面図、（ｂ）は、プロジェクタの使用状態の平面図。
【図５】メジャーテープの変形例を示す平面図。
【符号の説明】
【００３８】
１      筺体
２      投射レンズ
４      テープ
５      ロックボタン
６      巻尺
８      係止具
９      スクリーン
１０    数値
１１    目盛
１３    鏡筒
１４    数値
１５    目盛
１６    固定筒
１７    指示ライン
１８    係止部
【図１】
2006146004.tif 000003
【図２】
2006146004.tif 000004
【図３】
2006146004.tif 000005
【図４】
2006146004.tif 000006
【図５】
2006146004.tif 000007